(57)【要約】【課題】複数の操作子を使用せずに簡易な操作でメニュー項目の検索及び選択が可能なインタフェースを備えた「メニュー表示装置及びメニュー表示方法」を提供すること。【解決手段】メニュー表示装置１００は、メニュー項目３６を表示画面３１に複数並べて表示する表示手段と、メニュー項目３６及びメニュー項目３６に応じた操作を指定する操作コマンド３４ａ〜３４ｄが格納された記憶手段と、複数のメニュー項目３６を表示するとともに、メニュー項目３６の表示を操作する操作コマンド３４ａ〜３４ｄをメニュー項目に隣接して表示させる制御手段とを有する。制御手段は、選択可能状態であることを示すマーク３７を操作手段の操作量に応じてメニュー項目３６又は操作コマンド３４ａ〜３４ｄ間を移動させ、マーク３７が操作コマンド３４ａ〜３４ｄに移動したとき、操作コマンド３４ａ〜３４ｄに応じて新たなメニュー項目３６を表示画面３１に表示させる。【選択図】図３
2010055145.tif 000002
【特許請求の範囲】
【請求項１】
メニュー項目を表示画面に複数並べて表示する表示手段と、
前記メニュー項目及び前記複数並べて表示されるメニュー項目に応じた操作を指定する操作コマンドが格納された記憶手段と、
前記複数のメニュー項目を表示するとともに、当該メニュー項目の表示を操作する操作コマンドを前記メニュー項目に隣接して表示させる制御手段とを有することを特徴とするメニュー表示装置。
【請求項２】
更に１つの操作手段を有し、
前記制御手段は、選択可能状態であることを示すマークを前記操作手段の操作量に応じて前記メニュー項目又は操作コマンド間を移動させ、当該マークが前記操作コマンドに移動したとき、当該操作コマンドに応じて新たなメニュー項目を前記表示画面に表示させることを特徴とする請求項１に記載のメニュー表示装置。
【請求項３】
前記１つの操作手段は回転操作子、スライドキー、又はタッチパネルのいずれかであることを特徴とする請求項２に記載のメニュー表示装置。
【請求項４】
前記複数並んだメニュー項目は前後関係を保持したまま前記操作コマンドに応じて所定の方向に移動し、新たな複数並んだメニュー項目が表示されることを特徴とする請求項２に記載のメニュー表示装置。
【請求項５】
前記メニュー項目はメニュー項目の内容を示すアイコンで表示され、当該メニュー項目が選択可能なメニュー表示領域にリスト状又はサークル状に並べて表示されることを特徴とする請求項２に記載のメニュー表示装置。
【請求項６】
前記メニュー項目は階層的に構成されたメニュー項目のうちの同一階層のメニュー項目であることを特徴とする請求項２に記載のメニュー表示装置。
【請求項７】
前記操作コマンドは、前記メニュー項目を１項目毎に移動させる早送り又は巻き戻しのコマンドであることを特徴とする請求項２に記載のメニュー表示装置。
【請求項８】
前記操作コマンドは、前記メニュー項目を所定の項目数毎に移動させるページ早送り又はページ巻き戻しのコマンドであることを特徴とする請求項２に記載のメニュー表示装置。
【請求項９】
前記操作コマンドは、前記早送り又は巻き戻しよりも高速に早送り又は巻き戻しをするコマンドであることを特徴とする請求項７に記載のメニュー表示装置。
【請求項１０】
メニュー項目を記憶手段から抽出するステップと、
メニュー項目に対応する操作コマンドを前記記憶手段から抽出するステップと、
メニュー項目の内容を示すアイコンを表示手段の画面に所定の間隔で複数並べて表示させるとともに、前記操作コマンドを所定の位置に表示させるステップと、
を有することを特徴とするメニュー表示方法。
【請求項１１】
前記メニュー項目及び操作コマンドが表示されたメニュー表示画面において、
１つの操作手段の操作量に応じてメニュー項目又は操作コマンドが選択可能状態であることを示すマークを移動させるステップと、
前記マークが前記操作コマンドに移動したとき、当該操作コマンドに応じて新たなメニュー項目を前記表示画面に表示させるステップと、
を有することを特徴とする請求項１０に記載のメニュー表示方法。
【請求項１２】
前記１つの操作手段は回転操作子、スライドキー、又はタッチパネルのいずれかであることを特徴とする請求項１１に記載のメニュー表示方法。
【請求項１３】
前記複数並んだメニュー項目は前後関係を保持したまま前記操作コマンドに応じて所定の方向に移動し、新たな複数並んだメニュー項目が表示されることを特徴とする請求項１１に記載のメニュー表示方法。
【請求項１４】
前記メニュー項目はメニュー項目の内容を示すアイコンで表示され、当該メニュー項目が選択可能なメニュー表示領域にリスト状又はサークル状に並べて表示されることを特徴とする請求項１１に記載のメニュー表示方法。
【請求項１５】
前記メニュー項目は階層的に構成されたメニュー項目のうちの同一階層のメニュー項目であることを特徴とする請求項１１に記載のメニュー表示方法。
【請求項１６】
前記操作コマンドは、前記メニュー項目を１項目毎に移動させる早送り又は巻き戻しのコマンドであることを特徴とする請求項１１に記載のメニュー表示方法。
【請求項１７】
前記操作コマンドは、前記メニュー項目を所定の項目数毎に移動させるページ早送り又はページ巻き戻しのコマンドであることを特徴とする請求項１１に記載のメニュー表示方法。
【請求項１８】
前記操作コマンドは、前記早送り又は巻き戻しよりも高速に早送り又は巻き戻しをするコマンドであることを特徴とする請求項１６に記載のメニュー表示方法。
【発明の詳細な説明】
【技術分野】
【０００１】
本発明は、メニュー表示装置及びメニュー表示方法に関し、特に、１つの操作子を使用して選択項目を選択するユーザインターフェースを持つメニュー表示装置及びメニュー表示方法に関する。
【背景技術】
【０００２】
近年、車載用電子機器として、ナビゲーション機能、ラジオ放送やテレビ放送の受信機能、音楽や映像などのコンテンツ再生機能等、複数の機能を統合した装置が利用されている。また、記憶媒体の大容量化に伴い、音楽データなどの情報を大量に保存しておくことが可能になっている。そのため、これらの機能やデータの中からユーザが容易に機能やデータを選択できるように、メニュー画面を表示するようにしている。
【０００３】
通常、このようなメニュー画面において、メニュー項目数が多く、すべてのメニュー項目を一度に同じメニュー表示画面に表示することが困難な場合には、メニュー項目のグループ化や階層構造化をして、分かりやすいメニューを構成して表示画面に表示している。
【０００４】
このようなメニュー項目の表示装置として、上位階層の複数のフォルダのアイコンを所定の領域に表示し、特定の位置のフォルダに対応する下位階層の複数のファイルのサムネイルを別の所定の領域に表示して、所望のファイルを迅速、的確に選択するユーザインターフェース表示装置がある。
【特許文献１】特開２００６−２６８２９５号公報
【発明の開示】
【発明が解決しようとする課題】
【０００５】
上記したように、メニュー項目の階層構造化等によって、所望のメニュー項目を短時間で選択可能になるようなわかりやすいメニュー画面が構築されている。
【０００６】
しかし、階層構造化をした場合であっても、携帯機器や車載機器等の表示画面のように画面が広くないときには一度に表示できるメニュー項目数が限られてしまい、所望のメニュー項目を選択するためには新たなメニュー項目を表示させる操作を繰り返し行う必要がある。この操作に回転操作子を使用すると、回転を何度も繰り返すことになり、ユーザにとって操作性が悪くなってしまう。同一階層に属するメニュー項目の数が多くなればなるほどこの操作が増え、所望のメニュー項目を選択するまでの時間がかかってしまう。
【０００７】
また、回転操作子の他に、早送りや巻き戻しの機能を有する別の操作子を利用することも考えられるが、メニュー項目を選択する際に、複数の操作子を用いるため、操作性が悪く、手間がかかってしまう。このような表示装置が車両に使用されている場合には、運転者にとって手間がかかるだけでなく、運転操作の妨げとなり安全走行に支障をきたすおそれがある。
【０００８】
本発明は、かかる従来技術の課題に鑑みなされたものであり、複数の操作子を使用せずに簡易な操作でメニュー項目の検索及び選択が可能なインターフェースを備えたメニュー表示装置及びメニュー表示方法を提供することを目的とする。
【課題を解決するための手段】
【０００９】
上述した従来技術の課題を解決するため、本発明の一形態によれば、メニュー項目を表示画面に複数並べて表示する表示手段と、前記メニュー項目及び前記複数並べて表示されるメニュー項目に応じた操作を指定する操作コマンドが格納された記憶手段と、前記複数のメニュー項目を表示するとともに、当該メニュー項目の表示を操作する操作コマンドを前記メニュー項目に隣接して表示させる制御手段とを有することを特徴とするメニュー表示装置が提供される。
【００１０】
この形態に係るメニュー表示装置において、更に１つの操作手段を有し、前記制御手段は、選択可能状態であることを示すマークを前記操作手段の操作量に応じて前記メニュー項目又は操作コマンド間を移動させ、当該マークが前記操作コマンドに移動したとき、当該操作コマンドに応じて新たなメニュー項目を前記表示画面に表示させるようにしてもよく、前記１つの操作手段は回転操作子、スライドキー、又はタッチパネルのいずれかであるようにしてもよく、前記複数並んだメニュー項目は前後関係を保持したまま前記操作コマンドに応じて所定の方向に移動し、新たな複数並んだメニュー項目が表示されるようにしてもよく、前記メニュー項目はメニュー項目の内容を示すアイコンで表示され、当該メニュー項目が選択可能なメニュー表示領域にリスト状又はサークル状に並べて表示されるようにしてもよい。
【００１１】
本発明のメニュー表示装置によれば、メニュー項目を表示する領域に隣接して、そのメニュー項目を操作する操作コマンドを同時に表示している。この操作コマンドはメニュー項目と同様に、操作手段（例えば、回転操作子）を操作することによって選択、実行が可能となっている。これにより、複数の操作手段を使用することなくメニュー項目の検索及び選択を容易に行うことが可能となる。このメニュー表示装置が車両に設置されれば、運転者が容易にメニュー操作することが可能になるため、走行の安全性向上に寄与することができる。
【００１２】
また、上記形態に係るメニュー表示装置において、前記操作コマンドは、前記メニュー項目を１項目毎に移動させる早送り又は巻き戻しのコマンドであるようにしてもよく、前記操作コマンドは、前記メニュー項目を所定の項目数毎に移動させるページ早送り又はページ巻き戻しのコマンドであるようにしてもよく、前記操作コマンドは、前記早送り又は巻き戻しよりも高速に早送り又は巻き戻しをするコマンドであるようにしてもよい。
【００１３】
本発明のメニュー表示装置によれば、メニュー項目に対する操作コマンドとして早送り又は巻き戻しや、ページ早送り又はページ巻き戻し、さらに、高速の早送り又は巻き戻しが用意されている。表示されるメニュー項目に応じてこれらの操作コマンドが表示されるようにすることにより、メニュー項目に対する検索が効率よく実施されるようになり、運転操作を妨げる時間を短縮でき、安全走行に寄与することが可能となる。
【００１４】
また、本発明の他の形態によれば、上記の形態に係るメニュー表示装置において実施されるメニュー表示方法が提供される。その一形態に係るメニュー表示方法は、メニュー項目を記憶手段から抽出するステップと、メニュー項目に対応する操作コマンドを前記記憶手段から抽出するステップと、メニュー項目の内容を示すアイコンを表示手段の画面に所定の間隔で複数並べて表示させるとともに、前記操作コマンドを所定の位置に表示させるステップと、を有する。
【００１５】
さらに、前記メニュー項目及び操作コマンドが表示されたメニュー表示画面において、１つの操作手段の操作量に応じてメニュー項目又は操作コマンドが選択可能状態であることを示すマークを移動させるステップと、前記マークが前記操作コマンドに移動したとき、当該操作コマンドに応じて新たなメニュー項目を前記表示画面に表示させるステップと、を有するようにしてもよい。
【発明を実施するための最良の形態】
【００１６】
以下、本発明の実施形態について、添付の図面を参照して説明する。
【００１７】
（１）第１の実施形態
図１は本発明の実施形態に係るメニュー表示装置１００の構成を示すブロック図である。メニュー表示装置１００は、基本的に、操作入力部１、制御部２、表示部３、記憶部４、及び音声出力部５で構成されている。
【００１８】
操作入力部１は、例えば回転操作子で構成され、メニュー表示装置１００に対するユーザの指示等が入力される。回転操作子は、ダイヤル部とボタン部で構成され、ダイヤル部の回転量に応じた信号を制御部に送信する。本実施形態に関連する機能としては、回転量に応じて後述するメニュー画面に表示されているメニュー項目を移動させる。すなわち、回転操作子を回転させることによって所定の間隔で配置されたメニュー項目のアイコンが配列の前後関係を保った状態で移動する。また、ボタン部を押下することにより、メニュー項目が決定される。
【００１９】
表示部３は、例えば有機ＥＬや液晶パネルで構成され、メニュー項目や聴取しているオーディオソースの情報（例えば、曲名やアーティスト名）等が表示される。
【００２０】
記憶部４は、例えばハードディスクや半導体メモリで構成され、階層的に構成されたメニューの項目、メニュー画面に表示するジャケットの画像やメニュー項目としての配列等が保存されている。また、インターネットやＣＤ等のメディアから取得した楽曲の楽曲データや、楽曲のアーティストやジャケット画像等の音楽情報データが楽曲データと関連付けて格納される。
【００２１】
音声出力部５は、制御部２の制御の下、再生した楽曲等の所定の音声信号を発生し、適切なレベルに増幅された音声信号をスピーカー（不図示）等に出力する。
【００２２】
制御部２は、例えばマイクロコンピュータで構成され、予め用意されたプログラムに基づいて上記各部の処理を制御する。特に、本実施形態に係る機能として、記憶部４に格納されているメニュー項目及びそのメニュー項目の表示を操作する操作コマンドを抽出して、メニュー項目の表示をするとともに、抽出した操作コマンドをメニュー項目に隣接させて表示させる。
【００２３】
このように構成されたメニュー表示装置１００において、楽曲メニューの表示が指定されると、記憶部４に格納されているジャケット画像等のデータを基にメニュー画面を構成して表示する。このメニュー画面では、メニュー項目が表示されている領域に隣接して、メニュー項目を操作するコマンドも同時に表示される。
【００２４】
メニュー表示装置１００の制御部１２は、回転操作子の回転量を検出し、回転量に応じてメニュー項目が選択可能状態であることを示すマーク（以後、フォーカスと呼ぶ）をメニュー項目間で移動させ、所望のメニュー項目が表示されたときにフォーカスされているメニュー項目が選択されることによって音楽出力等のメニュー項目に関連する機能を実施する。さらに、回転操作子を回転させてフォーカスを移動させ、操作コマンドをフォーカスすることにより、メニュー項目の表示自体の早送りや巻き戻しが実行される。
【００２５】
このように、メニュー項目自体の表示を操作する操作コマンドをメニュー項目とともに所定の位置に表示している。また、複数並べて表示されているメニュー項目から所望の項目を選択する際に、１つの回転操作子だけを使用するようにしている。これにより、運転者が利用する場合でも、選択に必要な操作手段が回転操作子の一つであるため、複数の操作子を使用することによる手間を軽減して運転の妨げとなる動作を回避でき、安全走行に寄与することが可能となる。
【００２６】
次に、本実施形態に係るメニュー表示装置１００について、図２から図６を参照しながら詳細に説明する。なお、図２は、操作子を複数使用してメニュー項目を選択する関連技術のメニュー表示装置を説明する図であり、図３から図５は、本実施形態に係るメニュー表示装置のメニュー画面表示の一例を示している。また、図６はメニュー表示処理の一例を示すフローチャートである。
【００２７】
図２に示すメニュー表示装置２００は、操作子が回転操作子２２と操作ボタン２３ａ、２３ｂの２種類存在し、これらの操作子（２２，２３ａ、２３ｂ）を使用してメニュー項目の操作をする一例を示している。操作ボタン２３ａはメニュー項目の巻き戻しを指定するボタンであり、操作ボタン２３ｂはメニュー項目の早送りを指定するボタンである。メニュー項目２４は、例えば、ジャケットの画像を用いたアイコンで表わされ、表示画面２１にサークル状に表示されている。また、サークル状に表示されたアイコンのうち、フォーカス２６が当たっているアイコンのタイトル２５が表示画面２１の中央部に表示されている。
【００２８】
このようなメニュー画面において、回転操作子２２を回転させることにより選択可能状態を示すアイコン上のフォーカス２６が移動する。所望のアイコンを検索するために、メニュー項目を早送り又は巻き戻しする場合には、回転操作子とは異なる操作ボタン（２３ａ、２３ｂ）を操作して新たなメニューを表示させるようにしている。このように、所望のアイコンを選択するために、回転操作子２２と操作ボタン２３という異なる操作子を使用しているため、操作性が悪くなってしまう。また、回転操作子だけを使用する場合には、所望のアイコンを選択するために何度も回転操作をさせなければならず、同様に操作性が悪くなってしまう。
【００２９】
これに対し、図３は、第１の実施形態のメニュー表示装置１００に楽曲メニューを表示しているメニュー画面の一例を示している。メニュー表示装置１００は表示画面３１と回転操作子３２が含まれている。表示画面３１は、メニュー項目表示領域３３と操作コマンド表示領域３４とメニュー項目情報表示領域３５とを有している。
【００３０】
メニュー項目表示領域３３と操作コマンド表示領域３４内に表示されている項目は回転操作子３２によって選択可能となっている。
【００３１】
メニュー項目表示領域３３には、所定数のメニュー項目（３６ａ〜３６ｅ）が表示されている。例えば、図３の楽曲メニューの場合、メニュー項目（３６ａ〜３６ｅ）として楽曲に対応するジャケット画像による５つのアイコンが表示されている。ジャケット画像によるアイコンはメニュー項目表示領域３３及びそれ以外の領域にわたってサークル状に表示されている。メニュー項目表示領域３３の外に表示されたメニュー項目は選択することができないが、現在の選択可能な項目からどの程度離れた位置に配列されているかを参照することが可能である。
【００３２】
また、操作コマンド表示領域３４は、メニュー項目表示領域３３に隣接して設けられ、メニュー項目に応じた操作コマンドが表示される。図３では、操作コマンド表示領域３４はメニュー項目表示領域３３の左右両端に隣接している。また、操作コマンドとしては、第１早送りコマンド３４ａ（図３では１つの右向き三角マーク）及び第２早送りコマンド３４ｂ（図３では２つの右向き三角マーク）がメニュー項目表示領域３３の右側の操作コマンド表示領域３４に表示され、第１巻き戻しコマンド３４ｃ（図３では１つの左向き三角マーク）及び第２巻き戻しコマンド３４ｄ（図３では２つの左向き三角マーク）が左側の操作コマンド表示領域３４に表示されている。なお、第１早送りコマンド３４ａ又は第１巻き戻しコマンド３４ｃは、所定の速度でメニュー項目３６を早送り又は巻き戻しするコマンドであり、第２早送りコマンド３４ｂ又は第２巻き戻しコマンド３４ｄは、第１早送りコマンド３４ａ又は第１巻き戻しコマンド３４ｃよりも高速にメニュー項目３６を早送り又は巻き戻しするコマンドである。
【００３３】
これらのメニュー項目（３６ａ〜３６ｅ）又は操作コマンド（３４ａ〜３４ｄ）を表すアイコンは、その周囲を他のアイコンと識別可能な枠（フォーカス枠３７）で囲むことによってフォーカスされていることがわかるようにしている。
【００３４】
回転操作子３２を右又は左に回転することによりメニュー項目表示領域３３内に表示されているアイコンのフォーカス枠３７が右又は左のアイコンに移動する。メニュー項目表示領域３３の端部のアイコン（３６ａ、３６ｅ）がフォーカスされているとき、さらに回転操作子を回転すると、フォーカス枠３７はメニュー項目表示領域３３から操作コマンド領域３４に移動する。第１早送りコマンド３４ａにフォーカス枠３７が移動すると、メニュー項目３６が所定の方向に前後関係を保ったまま順に移動し、メニュー項目３６全体が回転するように次々に表示される。このとき、メニュー項目表示領域３３の中央部のアイコン３６ｃに対応する曲名がメニュー項目情報表示領域３５に表示される。さらに回転操作子３２を回転させて第２早送りコマンド３４ｂにフォーカス枠３７を移動させると、第１早送りコマンド３４ａがフォーカスされたときよりメニュー項目３６の移動速度が速くなる。
【００３５】
回転操作子３２を回転させてメニュー項目表示領域３３にフォーカスを移動させると、メニュー項目の移動は停止し、所望のアイコンを選択することができる。メニュー項目３６がフォーカスされている状態で回転操作子３２のボタンを押下すると、そのアイコンにリンクされた楽曲データが音声出力部５を介して再生され、スピーカーを通して音楽が出力される。
【００３６】
以上説明したように、本実施形態のメニュー表示装置１００では、メニュー項目を表示する領域に隣接して、そのメニュー項目を操作する操作コマンドを同時に表示している。この操作コマンドはメニュー項目と同様に、回転操作子を操作することによって選択することが可能となっている。これにより、複数の操作手段を使用することなくメニュー項目の検索及び選択を容易にかつ効率的に行うことが可能となる。このメニュー表示装置が車両に設置されれば、運転者が容易にメニュー操作することが可能になるため、走行の安全性向上に寄与することができる。
【００３７】
（変形例１）
上記したメニュー表示装置１００では、操作コマンドとしてメニュー項目の表示の「早送り」及び「巻き戻し」を例にとって説明した。操作コマンドとしてはこれらに限らず、上記した「早送り」コマンド、「巻き戻し」コマンドとは異なる操作コマンドを用意してもよい。
【００３８】
例えば、メニュー項目をページ単位で早送りや巻き戻しをする「ページ早送り」コマンド、「ページ巻き戻し」コマンドを用意する。ここで、「ページ」とは、メニュー項目をまとめて扱う際の単位であり、例えば、連続する５個分のメニュー項目を１ページとする。「ページ早送り」、又は「ページ巻き戻し」を実行すると、５個分のジャケット毎に早送り又は巻き戻されて新たなメニュー項目が表示される。
【００３９】
図３において、操作コマンド３４ａを第１ページ早送りコマンドとし、操作コマンド３４ｂを第１ページ早送りよりも高速な第２ページ早送りコマンドとし、操作コマンド３４ｃを第１ページ巻き戻しコマンドとし、操作コマンド３４ｄを第１ページ巻き戻しよりも高速な第２ページ巻き戻しコマンドとしてもよい。
【００４０】
なお、操作コマンドは、予めメニュー項目の種類に応じて必要となる操作コマンドを記憶部に格納しておき、操作コマンドを表示する際に、記憶部を参照して表示する。
【００４１】
また、図３では、操作コマンドが４つ表示されるようにしているが、４つに限らない。例えば、操作コマンドが６つ表示されるようにしてもよい。例えば、第１早送りコマンド、第１巻き戻しコマンド、第２早送りコマンド、第２巻き戻しコマンド、第１ページ早送りコマンド、及び第２ページ巻き戻しコマンドが同時に表示されるようにしてもよい。このように、メニュー項目に隣接して多種類の操作コマンドを用意しておくことにより、使用者は操作コマンドを適宜選択して所望のメニュー項目を効率よく検索することが可能となる。
【００４２】
また、選択されたアイコンに対応する詳細な情報を表示する「情報表示コマンド」を設けるようにしてもよい。この場合、メニュー表示領域の中央のアイコンを常にフォーカスされるようにしておくとともに、回転操作子の回転により別のアイコンもフォーカスされるようにしておく。この状態で「情報表示コマンド」にフォーカスを移動させ、ボタンを押下すると、中央のアイコンに対する詳細情報等の表示が可能となる。
【００４３】
（変形例２）
上記のメニュー表示装置１００では、操作子として回転操作子３２を使用する場合を例にとって説明したが、これに限るものではない。例えば、操作子として、スライドキーを設けてもよいし、表示画面をタッチパネルで構成するようにしてもよい。
【００４４】
図４（ａ）は操作子としてスライドキー３８を設けた場合の表示画面３１を含むメニュー表示装置１００の模式図を示している。このメニュー表示装置１００において、スライドキー３８を左右に移動させることにより、その移動量に応じてメニュー項目（３６ａ〜３６ｅ）又は操作コマンド（３４ａ〜３４ｄ）上をフォーカス枠３７が移動する。フォーカスが操作コマンド（３４ａ〜３４ｄ）上に移動したときは、その操作コマンド（３４ａ〜３４ｄ）に応じてメニュー項目３６の早送りや巻き戻し等の処理が行われる。
【００４５】
また、図４（ｂ）は、表示画面がタッチパネルで構成された場合の模式図を示している。表示画面３１は、その画面上にタッチパネルが設けられ、表示画面３１の表示内容と対になったボタンが構成される。画面上のメニュー項目又は操作コマンドをタッチすることによりそれぞれの項目を選択することが可能となる。図４（ｂ）では、操作コマンド（３４ａ〜３４ｄ）が表示されている領域をタッチすることにより、その操作コマンドに応じてメニュー項目の早送りや巻き戻し等の処理が行われる。
【００４６】
メニュー項目表示の早送りや巻き戻し等の処理が行われているときに、メニュー項目表示領域３３をタッチするとメニュー項目表示の早送り等が停止し、フォーカスされているメニュー項目３６をタッチすることにより、そのメニュー項目に応じた処理、例えば楽曲メニューであれば楽曲の出力等が行われる。
【００４７】
（変形例３）
上記のメニュー表示装置１００では、楽曲メニューを例にとって説明したが、これに限らず、階層化されたメニューの各階層に対して同様なメニュー表示処理を行うようにしてもよい。
【００４８】
例えば、図５に、ナビゲーションやＤＶＤ，ＴＶ等のソース（メディア）を選択するメニュー画面の一例を示している。図５に示すように、メニュー項目３８ａ〜３８ｅ（ナビ、ＴＥＬ、ＤＶＤ、ＣＤ、ＴＶ）がメニュー項目表示領域３３に表示され、操作コマンドは第１早送りコマンド３４ａ及び第１巻き戻しコマンド３４ｃの２つだけが表示されている。ソースを選択するメニューの場合、ソースに対応するメニュー項目の数が多くないため、メニュー項目の高速な早送りや巻き戻し、又は、ページ送り等を使用する頻度は小さいと考えられる。そこで、操作コマンドを高速でない通常の速度の早送り及び巻き戻しだけにしている。
【００４９】
このメニュー表示においても、回転操作子３２等の操作子を操作することによってフォーカス枠３７をメニュー項目（３８ａ〜３８ｅ）及び操作コマンド（３４ａ、３４ｃ）上を移動させ、操作コマンド（３４ａ、３４ｃ）にフォーカスが移動したとき、その操作コマンドに応じたメニュー表示の操作を行う。
【００５０】
なお、このメニュー項目は、階層メニューの上位のメニュー項目であるため、フォーカスされたメニュー項目が選択されると、そのメニュー項目に属する下位のメニュー項目が図３と同様の形態で表示される。この下位のメニュー項目の数が、例えば数十以上のように多い場合には、操作コマンドとして高速の早送りや巻き戻しコマンド、ページ送りコマンドがメニュー項目に隣接して表示される。
【００５１】
このように、全階層のメニューに対して同一のインターフェースになるため、使用者にとってメニューの検索や選択の操作が容易になる。また、メニュー項目に応じた操作コマンドを用意するため、必要のないメニュー表示処理をすることなく、効率的にメニュー検索を行うことが可能となる。
【００５２】
（メニュー表示方法）
以下に、本実施形態のメニュー表示装置１００において、制御部２が行うメニュー表示処理について説明する。なお、本メニュー表示処理では、楽曲メニューが選択されたものとして説明する。また、操作子として、回転操作子が使用されるものとする。
【００５３】
まずステップＳ１１において、楽曲メニューを表示するためのメニュー項目及び操作コマンドを記憶部４から抽出する。メニューの構成や、メニュー項目の情報は、予め記憶部４に格納しておく。また、メニュー項目に応じたメニュー表示の処理を行う操作コマンドも、メニュー項目に関連付けて格納しておく。制御部２は、楽曲メニューを表示する旨の指示を受けたとき、楽曲メニューに関する情報（メニュー項目の配列、ジャケット画像、関連する操作コマンド等）を記憶部から抽出し、メニュー画像を構成する。
【００５４】
次のステップＳ１２において、ステップＳ１１で抽出した項目をメニュー項目としてメニュー表示画面に表示するとともに、ステップＳ１１で抽出した操作コマンドをメニュー表示画面の所定の位置に表示する。図３はメニュー項目（３６ａ〜３６ｅ）及びそのメニュー項目の表示を操作する操作コマンド（３４ａ〜３４ｄ）が表示されたメニュー表示画面の一例を示している。図３のメニュー項目表示領域３３に表示されているアイコンがメニュー項目であり、メニュー項目表示領域３３の両端部に隣接した領域３４に表示されているアイコンが操作コマンドである。また、図３のメニューが表示された最初の状態では、メニュー表示領域の中央部に表示されるアイコン３６ｃがフォーカスされており、選択可能状態となっている。
【００５５】
次のステップＳ１３において、回転操作子３２の操作量に応じて、メニュー項目３６又は操作コマンド３４上のいずれかにフォーカス枠３７を移動する。回転操作子３２を右側に回転させたときは、フォーカスは図３の右側に移動し、回転操作子を左側に回転させたときは、フォーカスは図３の左側に移動する。
【００５６】
次のステップＳ１４において、フォーカスされているメニュー項目が選択されたか否かを判定する。回転操作子３２のボタンが押下されたとき、フォーカスされているメニュー項目が選択されたと判定し、押下が検出されなければメニュー項目の選択はされていないものと判定する。メニュー項目が選択されたときは、ステップＳ１７に移行し、メニュー項目に応じた処理を実行する。メニュー項目が選択されていないときは、ステップＳ１５に移行する。
【００５７】
次のステップＳ１５において、フォーカスが操作コマンド（３４ａ〜３４ｄ）の位置にあるか否かを判定する。回転操作子３２の右又は左への回転によってメニュー項目（３６ａ〜３６ｅ）上のフォーカスが移動し、メニュー項目表示領域３３の端部のメニュー項目（３６ａ、３６ｅ）がフォーカスされているときに、さらに回転操作子を回転させると、操作コマンド（３４ａ、３４ｃ）上にフォーカスが移動する。例えば、制御部２は、操作コマンドが表示されている座標位置、及び、フォーカスの座標位置とを検出し、フォーカスの座標位置が操作コマンドの座標位置を包含している場合に操作コマンド上にフォーカスが移動したと判定する。操作コマンドがフォーカスされているときは、ステップＳ１６に移行し、フォーカスされていないときは、ステップＳ１３に戻り、操作子の操作量に応じたフォーカスの移動を行う。
【００５８】
次のステップＳ１６において、フォーカスされている操作コマンドに応じた処理を実行し、メニュー項目の表示の変更を行う。
【００５９】
例えば、「早送り」操作コマンドがフォーカスされているときは、メニュー項目を右回転させるように１項目ずつ移動させてメニュー項目を変えて表示する。このとき、メニュー表示領域の中央部に位置するアイコンのタイトルをメニュー項目情報表示領域３５に表示するようにしてもよい。また、「巻き戻し」操作コマンドがフォーカスされているときは、「早送り」操作コマンドとは逆向きにメニュー項目を回転させるように１項目ずつ移動させてメニュー項目を変えて表示する。タイトルの表示は、「早送り」操作コマンドの場合と同様である。
【００６０】
なお、操作コマンドとして「ページ送り」操作コマンドがフォーカスされたときは、メニュー項目を１ページ（例えば、５個のアイコン）まとめて回転させてメニュー項目表示領域３３に表示させる。
【００６１】
ステップＳ１４においてメニュー項目が選択されたときは、ステップＳ１７に移行して、メニュー項目に応じた処理を実行する。本メニュー表示処理のように、楽曲メニューを対象としている場合には、選択されたメニュー項目に対応する楽曲が音楽データを基に再生されてスピーカーを通して出力されるとともに、その楽曲に関する情報を表示する画面が表示されて、本メニュー表示処理は終了する。
【００６２】
なお、上記メニュー表示処理は操作子が回転操作子の場合を例にとって説明したが、操作子がスライドキー、又はタッチパネルの場合でも同様である。
【００６３】
以上説明したように、本実施形態のメニュー表示方法では、メニュー項目及びメニュー項目に対応した操作コマンドを記憶部から抽出してメニュー項目を表示画面に表示するとともに、メニュー項目に隣接して操作コマンドを表示している。また、メニュー項目や操作コマンドを選択するためのフォーカスの移動を一つの操作子で行うようにしている。これにより、複数の操作子を使用することなくメニュー項目の検索及び選択を容易に行うことが可能となる。
【００６４】
（２）第２の実施形態
第２の実施形態では、メニュー項目の表示態様がリスト状に表示される点で第１の実施形態とは異なる。メニュー表示装置１００は、第１の実施形態で説明したものと同様であるため、説明を省略する。
【００６５】
図７は、メニュー表示装置１００に楽曲メニューを表示しているメニュー画面の一例を示している。メニュー表示装置１００は、表示画面７１と回転操作子７２が含まれている。表示画面７１は、メニュー項目表示領域７３と、操作コマンド表示領域７４と、メニュー項目情報表示領域７５とを有している。
【００６６】
メニュー項目表示領域７３と操作コマンド表示領域７４内に表示されている項目は回転操作子７２によって選択可能となっている。
【００６７】
メニュー項目表示領域７３には、所定数のメニュー項目が縦方向にリスト状に表示されている。例えば、図７の楽曲メニューの場合、メニュー項目として５つの曲名のアイコンがメニュー項目（７６ａ〜７６ｅ）として表示されている。
【００６８】
また、操作コマンド表示領域７４は、メニュー項目表示領域７３に隣接して設けられ、メニュー項目に応じた操作コマンドが表示される。図７では、操作コマンド表示領域７４はメニュー項目表示領域７３の上下両端に隣接している。
【００６９】
また、操作コマンドとしては、第１早送りコマンド７４ａ（図７では１つの上向き三角マーク）及び第２早送りコマンド７４ｂ（図７では２つの上向き三角マーク）がメニュー項目表示領域７３の上側の操作コマンド表示領域７４に表示され、第１巻き戻しコマンド７４ｃ（図７では１つの下向き三角マーク）及び第２巻き戻しコマンド７４ｄ（図７では２つの下向き三角マーク）が下側の操作コマンド表示領域７４に表示されている。
【００７０】
なお、第１早送りコマンド７４ａ、第１巻き戻しコマンド７４ｃ、第２早送りコマンド７４ｂ、又は第２巻き戻しコマンド７４ｄの機能は第１の実施形態で記載した各コマンドと同様である。
【００７１】
これらのメニュー項目（７６ａ〜７６ｅ）又は操作コマンド（７４ａ〜７４ｄ）を表すアイコンは、その周囲を他のアイコンと識別可能な枠（フォーカス枠７７）で囲むことによって、フォーカスされていることがわかるようにしている。
【００７２】
このようなメニュー表示画面に対して、回転操作子７２を右又は左に回転させることにより、メニュー項目表示領域７３内に表示されているアイコンのフォーカス枠７７が上又は下に移動する。メニュー項目表示領域７３の端部のアイコン（７６ａ、７６ｅ）がフォーカスされているとき、さらに回転操作子７２を回転させることにより、フォーカス枠７７はメニュー項目表示領域７３から操作コマンド表示領域７４に移動する。第１早送りコマンド７４ａにフォーカス枠７７が移動すると、メニュー項目７６が所定の方向に前後関係を保ったまま順に移動して新たなメニュー項目が表示される。このとき、メニュー項目表示領域７３の中央部のアイコン７６ｃに対するアーティスト名がメニュー項目情報表示領域７５に表示される。さらに回転操作子７２を回転させて第２早送りコマンド７４ｂにフォーカス枠７７を移動させると、第１早送りコマンド７４ａがフォーカスされたときよりもメニュー項目７６の移動速度が速くなる。
【００７３】
回転操作子７２を回転させてメニュー項目表示領域７３にフォーカスを移動させると、メニュー項目の移動は停止し、所望のアイコンを選択することができる。メニュー項目７６がフォーカスされている状態で回転操作子７２のボタンを押下すると、そのアイコンにリンクされた楽曲データが音声出力部５を介して再生され、スピーカーを通して音楽が出力される。
【００７４】
以上説明したように、第２の実施形態のメニュー表示装置１００でも、第１の実施形態のメニュー表示装置１００と同様に、メニュー項目を表示する領域に隣接して、そのメニュー項目を操作する操作コマンドを同時に表示している。この操作コマンドはメニュー項目と同様に、回転操作子を操作することによって選択することが可能となっている。これにより、複数の操作手段を使用することなくメニュー項目の検索及び選択を容易にかつ効率的に行うことが可能となる。このメニュー表示装置が車両に設置されれば、運転者が容易にメニュー操作することが可能になるため、走行の安全性向上に寄与することができる。
【００７５】
（変形例４）
上記したメニュー表示装置１００では、操作コマンドとしてメニュー項目の表示の「早送り」及び「巻き戻し」を例にとって説明した。操作コマンドとしてはこれらに限らない。例えば、メニュー項目をページ単位で早送りや巻き戻しをする「ページ早送り」コマンド、「ページ巻き戻し」コマンドを用意する。ここで、「ページ」とは、メニュー項目をまとめて扱う際の単位であり、例えば、連続する５個分のメニュー項目を１ページとする。「ページ早送り」、又は「ページ巻き戻し」を実行すると、５個分のジャケット毎に早送り又は巻き戻されて新たなメニュー項目が表示される。
【００７６】
図７において、操作コマンド７４ａを第１ページ早送りコマンドとし、操作コマンド７４ｂを第１ページ早送りよりも高速な第２ページ早送りコマンドとし、操作コマンド７４ｃを第１ページ巻き戻しコマンドとし、操作コマンド７４ｄを第１ページ巻き戻しよりも高速な第２ページ巻き戻しコマンドとしてもよい。
【００７７】
また、図７では、操作コマンドが４つ表示されるようにしているが、４つに限らない。例えば、操作コマンドが６つ表示されるようにしてもよい。例えば、第１早送りコマンド、第１巻き戻しコマンド、第２早送りコマンド、第２巻き戻しコマンド、第１ページ早送りコマンド、及び第２ページ巻き戻しコマンドが同時に表示されるようにしてもよい。このように、メニュー項目に隣接して多種類の操作コマンドを用意しておくことにより、使用者は操作コマンドを適宜選択して所望のメニュー項目を効率よく検索することが可能となる。
【００７８】
また、選択されたアイコンに対応する詳細な情報の表示をする情報表示コマンドを設けるようにしてもよい。この場合、メニュー表示領域の中央のアイコンを常にフォーカスされるようにしておくとともに、回転操作子の回転により別のアイコンもフォーカスされるようにしておく。この状態で情報表示コマンドにフォーカスを移動させ、ボタンを押下すると、中央のアイコンに対する詳細情報等の表示が可能となる。
【００７９】
（変形例５）
上記のメニュー表示装置１００では、操作子として回転操作子７２を使用する場合を例にとって説明したが、これに限らない。例えば、操作子として、スライドキーを設けてもよいし、表示画面をタッチパネルで構成するようにしてもよい。
【００８０】
図８（ａ）は操作子としてスライドキー７８を設けた場合の表示画面７１を含むメニュー表示装置１００の模式図を示している。このメニュー表示装置１００において、スライドキー７８を上下に移動させることにより、その移動量に応じてメニュー項目（７６ａ〜７６ｅ）又は操作コマンド（７４ａ〜７４ｄ）上をフォーカス枠７７が移動する。フォーカスが操作コマンド（７４ａ〜７４ｄ）上に移動したときは、その操作コマンド（７４ａ〜７４ｄ）に応じてメニュー項目３６の早送りや巻き戻し等の処理が行われる。
【００８１】
また、図８（ｂ）は、表示画面がタッチパネルで構成された場合の模式図を示している。表示画面７１は、その画面上にタッチパネルが設けられ、表示画面７１の表示内容と対になったボタンが構成される。画面上のメニュー項目又は操作コマンドをタッチすることによりそれぞれの項目を選択することが可能となる。図８（ｂ）では、操作コマンド（７４ａ〜７４ｄ）が表示されている領域をタッチすることにより、その操作コマンドに応じてメニュー項目の早送りや巻き戻し等の処理が行われる。
【００８２】
メニュー項目表示の早送りや巻き戻し等の処理が行われているときに、メニュー項目表示領域７３をタッチするとメニュー項目表示の早送り等が停止し、フォーカスされているメニュー項目７６をタッチすることにより、そのメニュー項目に応じた処理、例えば楽曲メニューであれば楽曲の出力等が行われる。
【００８３】
（変形例６）
上記のメニュー表示装置１００では、楽曲メニューを例にとって説明したが、これに限らず、階層化されたメニューの各階層に対して同様なメニュー表示処理を行うようにしてもよい。
【００８４】
例えば、図９に、ナビゲーションやＤＶＤ，ＴＶ等のソース（メディア）を選択するメニュー画面の一例を示している。図９に示すように、メニュー項目７８ａ〜７８ｅ（ナビ、ＴＥＬ、ＤＶＤ、ＣＤ、ＴＶ）がメニュー項目表示領域７３に表示され、操作コマンドは第１早送りコマンド７４ａ及び第１巻き戻しコマンド７４ｃの２つだけが表示されている。
【００８５】
このメニュー表示においても、回転操作子７２等の操作子を操作することによってフォーカス枠７７をメニュー項目（７８ａ〜７８ｅ）及び操作コマンド（７４ａ、７４ｃ）上を移動させ、操作コマンド（７４ａ、７４ｃ）にフォーカスが移動したとき、その操作コマンドに応じたメニュー表示の操作を行う。
【００８６】
なお、このメニュー項目は、階層メニューの上位のメニュー項目であるため、フォーカスされたメニュー項目が選択されると、そのメニュー項目に属する下位のメニュー項目が図７と同様の形態で表示される。この下位のメニュー項目の数が、例えば数十以上のように多い場合には、操作コマンドとして高速の早送りや巻き戻しコマンド、ページ送りコマンドがメニュー項目に隣接して表示される。
【００８７】
このように、全階層のメニューに対して同一のインターフェースになるため、使用者にとってメニューの検索や選択の操作が容易になる。また、メニュー項目に応じた操作コマンドを用意するため、必要のないメニュー表示処理をすることなく、効率的にメニュー検索を行うことが可能となる。
【００８８】
（メニュー表示方法）
本実施形態のメニュー表示装置において制御部が行うメニュー表示処理は、基本的に第１の実施形態におけるメニュー表示処理と同様である。
【００８９】
ただし、メニューの表示態様が第１の実施形態とは異なるため、表示処理が異なる。すなわち、ステップＳ１２において、メニュー表示画面を生成する際に、図７に示すようなリスト状にし、その上下に操作コマンドを表示するようにする。
【００９０】
また、ステップＳ１３及びステップＳ１５において、回転操作子の操作量に応じて、リスト及び操作コマンドに合わせてフォーカスを上下に移動させるようにする。
【００９１】
上記メニュー表示方法でも、第１の実施形態と同様の効果を奏することができる。すなわち、第２の実施形態のメニュー表示方法でも、メニュー項目及びメニュー項目に対応した操作コマンドを記憶部から抽出してメニュー項目を表示画面に表示するとともに、メニュー項目に隣接して操作コマンドを表示している。また、メニュー項目や操作コマンドを選択するためのフォーカスの移動を一つの操作子で行うようにしている。これにより、複数の操作子を使用することなくメニュー項目の検索及び選択を容易に行うことが可能となる。
【図面の簡単な説明】
【００９２】
【図１】本発明の一実施形態に係るメニュー表示装置の構成を示すブロック図である。
【図２】関連技術のメニュー表示画面の一例を示す図である。
【図３】第１の実施形態に係る回転操作子を有したメニュー表示装置におけるメニュー表示画面の一例を示す図である。
【図４】図４（ａ）は、第１の実施形態に係るスライドキーを有したメニュー表示装置におけるメニュー表示画面の一例を示す図であり、図４（ｂ）は、第１の実施形態に係るタッチパネルを有したメニュー表示装置におけるメニュー表示画面の一例を示す図である。
【図５】第１の実施形態に係るメニュー表示画面の一例を示す図である。
【図６】メニュー表示処理の一例を示すフローチャートである。
【図７】第２の実施形態に係る回転操作子を有したメニュー表示装置におけるメニュー表示画面の一例を示す図である。
【図８】図８（ａ）は、第２の実施形態に係るスライドキーを有したメニュー表示装置におけるメニュー表示画面の一例を示す図であり、図８（ｂ）は、第２の実施形態二かかるタッチパネルを有したメニュー表示装置におけるメニュ表示画面の一例を示す図である。
【図９】第２の実施形態に係るメニュー表示画面の一例を示す図である。
【符号の説明】
【００９３】
１…操作入力部（操作手段）、
２…制御部（制御手段）、
３…表示部（表示手段）、
４…記憶部（記憶手段）、
３１、７１…表示画面、
３２、７２…回転操作子、
３３、７３…メニュー項目表示領域、
３４、７４…操作コマンド表示領域、
３４ａ〜３４ｄ、７４ａ〜７４ｄ…操作コマンドアイコン、
３６ａ〜３６ｅ、７６ａ〜７６ｅ…メニュー項目アイコン、
３７、７７…フォーカス枠、
３８、７８…スライドキー。
【図１】
2010055145.tif 000003
【図２】
2010055145.tif 000004
【図３】
2010055145.tif 000005
【図４】
2010055145.tif 000006
【図５】
2010055145.tif 000007
【図６】
2010055145.tif 000008
【図７】
2010055145.tif 000009
【図８】
2010055145.tif 000010
【図９】
2010055145.tif 000011